(57)【要約】【課題】  様々な記録材料を精度良く搬送する。【解決手段】  露光搬送装置３０は、両端側にスロープを有するガイド板３１、スロープに沿って撓む記録紙シート２８の弾力を利用して記録紙シート２８に搬送力を伝達する露光搬送ローラ３２，３３、この露光搬送ローラ３２，３３を図中上下方向に移動するシフト機構３４から構成される。ユーザは、ペーパーマガジン装填時、記録紙タイプ入力部４９より記録紙シート２８の記録紙タイプを入力する。システムコントローラ４７は、間隔情報ＬＵＴ４８から、入力された記録紙タイプに基づく規定間隔距離を取得する。そして、規定間隔距離に対応する駆動パルスを発生させてモータ４４を駆動し、露光搬送ローラ３２，３３を矢印Ｂ１，Ｂ２方向に変位させる。これにより、記録紙シート２８に適切な間隔Ｇ１が形成され、記録紙シート２８の搬送負荷が一定となる。【選択図】        図４
2005231871.tif 000002
【特許請求の範囲】
【請求項１】
シート状の記録材料に平行な水平ガイド部と、前記記録材料の搬送方向に関して前記水平ガイド部の両側で、前記水平ガイド部に対して屈曲あるいは傾斜した端部とを有するガイド部材と、
前記ガイド部材の端部にそれぞれ対応して設けられた搬送ローラと、この搬送ローラを回転駆動する駆動部とを備え、前記ガイド部材の端部と前記搬送ローラとの間で変形する前記記録材料の弾性反発力を利用して前記記録材料を前記搬送ローラに圧接させ、前記搬送ローラと前記記録材料との間の摩擦力により前記記録材料を搬送する搬送手段と、
前記記録材料の厚さに応じて前記搬送ローラと前記ガイド部材の間隔を変更するように前記搬送ローラ及び前記ガイド部材の少なくとも一方を移動する移動手段と、を備えたことを特徴とする記録材料の搬送装置。
【請求項２】
前記移動手段は、前記搬送ローラ及び前記ガイド部材の少なくとも一方を、前記水平ガイド部に垂直な方向に移動させることで前記間隔を変更することを特徴とする請求項１記載の記録材料の搬送装置。
【請求項３】
前記移動手段は、前記搬送ローラを、前記ガイド部材の端部から離れる方向に移動させることで前記間隔を変更することを特徴とする請求項１記載の記録材料の搬送装置。
【請求項４】
前記移動手段は、前記摩擦力を一定にするように前記間隔を変更することを特徴とする請求項１〜３記載の記録材料の搬送装置。
【請求項５】
前記移動手段は、前記間隔を２段階で切り替えることを特徴とする請求項１〜４記載の記録材料の搬送装置。
【請求項６】
記録材料の種類に応じて前記搬送ローラと前記ガイド部材の間隔情報が定められ、この間隔情報に基づき前記間隔を設定することを特徴とする請求項１〜５いずれかに記載の記録材料の搬送装置。
【請求項７】
記録光を出射する露光部を備え、記録材料ロールから引き出されたシート状の記録材料に対して、前記記録光を照射して画像を露光記録する画像形成装置において、
前記記録材料に平行な水平ガイド部と、前記記録材料の搬送方向に関して前記水平ガイド部の両側で、前記水平ガイド部に対して屈曲あるいは傾斜した端部とを有するガイド部材と、
前記ガイド部材の端部にそれぞれ対応して設けられた搬送ローラと、この搬送ローラを回転駆動する駆動部とを備え、前記ガイド部材の端部と前記搬送ローラとの間で変形する前記記録材料の弾性反発力を利用して前記記録材料を前記搬送ローラに圧接させ、前記搬送ローラと前記記録材料との間の摩擦力により前記記録材料を搬送する搬送手段と、
前記記録材料の厚さに応じて前記搬送ローラと前記ガイド部材の間隔を変更するように前記搬送ローラ及び前記ガイド部材の少なくとも一方を移動する移動手段と、を備えた搬送装置を、少なくとも前記露光部に配置することを特徴とする画像形成装置。
【請求項８】
前記露光部の前記搬送路の上流側に配置され、前記記録材料の裏面に対して情報を印字する裏印字手段を備え、
前記ガイド部材に、前記裏印字手段による印字部分に対応して凹部を設けたことを特徴とする請求項７記載の画像形成装置。
【請求項９】
スプライスペーパーの接合部を検知するセンサと、前記接合部を前記搬送路から除去する手段とを設けたことを特徴とする請求項７または８記載の画像形成装置。
【発明の詳細な説明】
【技術分野】
【０００１】
本発明は、様々な種類の記録材料を精度良く搬送する搬送装置、及び、この搬送装置を備えた画像形成装置に関するものである。
【背景技術】
【０００２】
【特許文献１】米国特許出願公開第２００２／０１８６２９４号明細書
【０００３】
熱現像記録装置や写真露光現像装置といった画像形成装置では、シート状の記録材料を副走査方向に搬送しながら、これに垂直な主走査方向にライン状の記録光を照射することにより、記録材料に画像が記録される。記録材料を搬送する副走査搬送手段としては、搬送路に沿って記録材料をガイドするガイド板と、このガイド板との間に一定の間隔をとって配置され、記録材料の弾力（コシ、張り）を利用して記録材料に搬送力を伝達する駆動ローラとから構成されるものがある（特許文献１）。前記弾力は、記録材料が、ガイド板に形成されたスロープに沿って撓むことで発生する。このような弾力によって記録材料が駆動ローラに圧接すると、駆動ローラとの間で生じる摩擦力を介して駆動ローラの搬送力が記録材料に伝達されるようになっている。このような副走査搬送手段は、キャプスタンローラとニップローラとからなるローラ対を用いる搬送手段よりも構造が簡単なため、ローコストで製造することができる。
【発明の開示】
【発明が解決しようとする課題】
【０００４】
ところで、写真印画用等の記録材料は、その厚さや材質、弾力が多種多様化してきている。上述の副走査搬送手段では、ガイド板と駆動ローラとの間隔を一定としているため、比較的薄い記録材料やコシの弱い記録材料を搬送する場合、駆動ローラに対する圧接力が不十分となり、比較的厚い記録材料やコシの強い記録材料を搬送する場合では、その圧接力が大き過ぎてしまう。この圧接力の差異によって記録材料の搬送負荷が設計値から外れてしまうと、記録材料を精度良く搬送することができなくなり、結果として白スジや黒スジが発生しやすくなる。
【０００５】
本発明は、上記事情に鑑みてなされたものであり、様々な記録材料を精度良く搬送することができる記録材料の搬送装置、及び、この搬送装置を備えた画像形成装置を提供することを目的とする。
【課題を解決するための手段】
【０００６】
本発明の記録材料の搬送装置は、記録材料に平行な水平ガイド部と、記録材料の搬送方向に関して水平ガイド部の両側で、水平ガイド板に対して屈曲あるいは傾斜した端部とを有するガイド部材と、ガイド部材の端部にそれぞれ対応して設けられた搬送ローラと、この搬送ローラを回転駆動する駆動部とを備え、ガイド部材の端部と搬送ローラとの間で変形する記録材料の弾性反発力を利用して記録材料を搬送ローラに圧接させ、搬送ローラと記録材料との間の摩擦力により記録材料を搬送する搬送手段と、記録材料の厚さに応じて搬送ローラとガイド部材の間隔を変更するように搬送ローラ及びガイド部材の少なくとも一方を移動する移動手段と、を備えたことを特徴とする。
【０００７】
移動手段は、摩擦力を一定にするように間隔を変更することが好ましい。また、移動手段は、間隔を２段階で切り替えることが好ましい。
【０００８】
記録材料の種類に応じて搬送ローラとガイド部材の間隔情報が定められ、この間隔情報に基づき間隔を設定するようにしても良い。
【０００９】
本発明の画像形成装置は、露光部を備え、記録材料に平行な水平ガイド部と、記録材料の搬送方向に関して水平ガイド部の両側で、水平ガイド板に対して屈曲あるいは傾斜した端部とを有するガイド部材と、ガイド部材の端部にそれぞれ対応して設けられた搬送ローラと、この搬送ローラを回転駆動する駆動部とを備え、ガイド部材の端部と搬送ローラとの間で変形する記録材料の弾性反発力を利用して記録材料を搬送ローラに圧接させ、搬送ローラと記録材料との間の摩擦力により記録材料を搬送する搬送手段と、記録材料の厚さに応じて搬送ローラとガイド部材の間隔を変更するように搬送ローラ及びガイド部材の少なくとも一方を移動する移動手段と、を備えた搬送装置を、少なくとも前記露光部に配置することを特徴とする。
【００１０】
裏印字手段を備え、ガイド部材に、この裏印字手段による印字部分に対応して凹部を設けることが好ましい。スプライスペーパーの接合部を検知するセンサと、この接合部を搬送路から除去する手段とを設けることが好ましい。
【発明の効果】
【００１１】
本発明によれば、記録材料の厚さに応じて搬送ローラとガイド部材の間隔を変更するようにしたので、記録材料の搬送負荷が一定となり、様々な記録材料を精度良く搬送することができる。
【００１２】
また、間隔を２段階で切り替えることで、装置をローコストで提供することができる。
【発明を実施するための最良の形態】
【００１３】
図１に本発明の露光搬送装置を適用したプリンタプロセサの概略を示す。プリンタプロセサ１０は、互いに接続されたプリンタ１１とプロセサ１２とから構成される。プリンタ１１は、ペーパー装填部１３、ペーパーカッタ１４、裏印字装置１５、露光装置１６、ペーパー振り分け部１７、搬出部１８等から構成される。プロセサ１２は、現像処理装置や、スクイズローラ、乾燥装置、集積装置（共に図示せず）から構成される。プリンタプロセサ１０の各部・各装置の動作は、システムコントローラ４７（図４参照）により統括的に制御される。
【００１４】
ペーパー装填部１３には、ペーパーマガジン２４が装填される。このペーパーマガジン２４には、シート状の感光記録紙２５をロール状に巻き取った記録紙ロール２６が収納されている。この感光記録紙２５は、原紙等で形成された基体の少なくとも乳剤塗布側（画像記録側）の表面に対し、例えばポリエステルを含む樹脂に白色顔料を混合分散した組成物を被覆して形成される。また、ペーパーマガジン２４には給紙ローラ対２７が設けられ、図示しない駆動モータによって給紙ローラ対２７が回転すると、記録紙ロール２６から感光記録紙２５が引き出され、ペーパーカッタ１４へと送り出される。
【００１５】
ペーパーカッタ１４は、固定刃１４ａと可動刃１４ｂから構成され、ペーパー装填部１３と裏印字装置１５との間に配置される。感光記録紙２５の先端がペーパーカッタ１４より所定の長さだけ送り出されると、図示しないカッタ駆動機構が作動して可動刃１４ｂが固定刃１４ａの方へと移動し、感光記録紙２５を切断してカットシート状の記録紙シート２８とする。記録紙シート２８は、複数の搬送ローラ対２９及び図示しないガイドプレートに沿って裏印字装置１５、露光装置１６へと搬送される。
【００１６】
裏印字装置１５では、記録紙シート２８の裏面（乳剤層とは反対側の面）に、コマ番号や補正データ等の情報を印字する裏印字を行う。露光装置１６では、露光位置を通過する記録紙シート２８に対して、画像データに基づき強度変調されたレーザ光１６ａ（図２参照）を照射し、画像を露光記録する。露光済みの記録紙シート２８は、ペーパー振り分け部１７に送られる。ペーパー振り分け部１７では、露光装置１６まで１列で搬送されてきた記録紙シート２８を、その幅方向に複数列、例えば２列に振り分ける。搬出部１８は、振り分け部１７によって振り分けられた記録紙シート２８をプロセサ部１２に向けて搬出する。
【００１７】
プロセサ部１２は、搬出部１８から搬入された記録紙シート２８に対して、漂白定着、現像、水洗、乾燥などの各処理を施した後、プリント注文毎に分類して集積・排出する。
【００１８】
露光装置１６に係る搬送手段としての露光搬送装置３０は、記録紙シート２８の搬送路に沿って記録紙シート２８をガイドするガイド板３１と、記録紙シート２８の弾力を利用して記録紙シート２８に搬送力を伝達する第１及び第２の露光搬送ローラ３２，３３と、これら露光搬送ローラ３２，３３を図中上下方向に移動させるシフト機構３４（図４参照）とからなる。
【００１９】
図２に示すように、ガイド板３１の上面３１ａは、記録紙シート２８の搬送方向（図中矢印Ａ１）に沿って略水平に設けられ、その両端側が屈曲されてスロープ３１ｂ，３１ｃを形成している。ガイド板３１の上面３１ａの略中央部には、レーザ光１６ａが照射される露光位置が設定されている。上流側及び下流側の各スロープ３１ｂ，３１ｃは、記録紙シート２８の幅方向に対して左右対称の形態であり、予め設定された径の曲面を形成している。
【００２０】
ガイド板３１には、凹部３５ａ，３５ｂが搬送方向に沿って設けられている。この凹部３５ａ，３５ｂを設けることで、裏印字装置１５による印字部分がガイド板３１と摺接して記録紙シート２８の裏面が汚れるのを防止することができる。
【００２１】
第１及び第２の露光搬送ローラ３２，３３は、金属または樹脂から同一に生成され、各々の記録紙シート２８に対する摩擦係数は、記録紙シート２８とガイド板３１との間の摩擦係数より大きいとする。また、露光搬送ローラ３２，３３は、ガイド板３１の、上面３１ａとスロープ３１ｂ，３１ｃとの境界の位置３１ｄ，３１ｅに対応して配置されている。露光搬送ローラ３２，３３の径、ガイド板３１の長さ、及び、これら２つの関係は特に限定されない。
【００２２】
図３に示すように、露光搬送ローラ３２，３３の回転軸３２ａ，３３ａは、タイミングベルト３６を介して互いに接続されており、露光搬送モータ３７の駆動により露光搬送ローラ３２，３３が同一の速度で回転する。露光搬送モータ３７は、トラクションドライブユニット３８を介して露光搬送ローラ３３に接続されている。図示しないモータドライバからの駆動パルスを受けて露光搬送モータ３７が駆動すると、トラクションドライブユニット３８により露光搬送モータ３７の回転速度が減速され、露光搬送ローラ３３が低回転数域で滑らかに回転する。
【００２３】
トラクションドライブユニット３８は、露光搬送モータ３７の出力軸３７ａに接続される太陽軸３９と、油膜（トラクションオイル）を介して太陽軸３９と接続される複数の遊星ローラ４０と、太陽軸３９及び遊星ローラ４０を保持する固定環４１とを備えている。露光搬送モータ３７が駆動して太陽軸３９が回転すると、油膜を介して遊星ローラ４０に駆動力が伝達され、遊星ローラ４０は固定環４１の内周面に沿って回動する。そして、遊星ローラ４０の回転軸に接続された出力軸４２を介して、露光搬送モータ３７の駆動力が露光搬送ローラ３３に伝達される。このトラクションドライブユニット３８を用いた減速機構は、タイミングベルトを用いた減速機構と比較して剛性が高いため、負荷変動に強いという特徴がある。なお、複数のトラクションドライブユニットを直列に接続し、減速比を高くしても良い。
【００２４】
ガイド板３１のスロープ３１ｂと、露光搬送ローラ３２とは対となっており、記録紙シート２８に搬送力を伝達する搬送力伝達機構を構成している。スロープ３１ｂの端部から記録紙シート２８が進入すると、ガイド板３１と露光搬送ローラ３２との間に入り込む。この時、スロープ３１ｂの曲面に沿って記録紙シート２８が撓み、記録紙シート２８自体の弾力が発生する。この弾力により記録紙シート２８が露光搬送ローラ３２に圧接し、記録紙シート２８と露光搬送ローラ３２との間に所定の摩擦力が生じる。露光搬送ローラ３２が回転すると、この摩擦力を介して記録紙シート２８に搬送力が伝達され、記録紙シート２８が搬送される。スロープ３１ｃ及び露光搬送ローラ３３においても、上記と同様に作用するため、説明を省略する。
【００２５】
シフト機構３４は、露光搬送ローラ３２，３３を図中上下方向に移動させ、露光搬送ローラ３２，３３とガイド板３１との間に、搬送される記録紙に対応する間隔Ｇ１を形成する。この間隔Ｇ１は、記録紙シート２８の搬送方向に対して垂直方向の間隔を表す。図４に示すように、シフト機構３４は、間隔切り替えモータ４４と、この間隔切り替えモータ４４に接続されるピニオン部材４５と、露光搬送ローラ３２，３３を一体化する継ぎ手４２を固定する固定部材４３とからなる。固定部材４３の図中右側縁には、ピニオン部材４５の歯車（ピニオン）と噛合する歯（ラック）４３ａが形成されている。後述する切り替え段階の各々に対応する駆動パルスを受けて間隔切り替えモータ４４が駆動し、ピニオン部材４５が回転すると、ラック４３ａを介して固定部材４３に駆動力が伝達され、固定部材４３は記録紙シート２８の搬送路に対して垂直方向（図中矢印Ｂ１，Ｂ２方向）に移動する。この固定部材４３の移動に伴って露光搬送ローラ３２，３３が矢印Ｂ１，Ｂ２方向に移動し、露光搬送ローラ３２，３３とガイド板３１との間隔Ｇ１が変化する。
【００２６】
各種記録紙の厚さは、薄手紙で約０．２ｍｍ、印画紙で約０．２５ｍｍ、シュープリームでも約０．３ｍｍと規定されている。そこで、本実施形態では、これらの用紙厚さの相違と、用紙のコシの相違とを考慮し、露光搬送ローラ３２，３３の最大変位距離を０．２ｍｍ以下とする。シフト機構３４は、この最大変位距離０．２ｍｍの範囲内で露光搬送ローラ３２，３３を移動自在とし、間隔Ｇ１を多段階で切り替える構成とする。
【００２７】
システムコントローラ４７には、間隔情報ＬＵＴ（ルックアップテーブル）４８と、記録紙タイプ入力部４９とが接続されている。間隔情報ＬＵＴ４８には、記録紙タイプと、これに適切な間隔情報とが対応づけられて記憶されている。間隔情報としては、製造時の搬送テスト実証済みの規定間隔距離が記憶されている。ユーザは、ペーパーマガジン２４装填の際に、記録紙タイプ入力部４９を用いてこのペーパーマガジン２４にセットされている記録紙のタイプを入力する。記録紙タイプ入力部４９は、入力された記録紙タイプをシステムコントローラ４７に送る。システムコントローラ４７は、この記録紙タイプに基づいて間隔情報ＬＵＴ４８を参照し、この記録紙タイプに対応する規定間隔距離を取得する。
【００２８】
規定間隔距離は、以下のような条件に基づいて設定されている。露光搬送ローラ３２，３３が記録紙シート２８を押圧する力をＮとし、記録紙シート２８とガイド板３１との間の摩擦係数をμとする。この時、記録紙シート２８の搬送負荷をＦとすると、
Ｆ＝μ・Ｎ
が成り立つ。この搬送負荷Ｆがどの記録紙タイプにおいても一定となるように規定間隔距離は設定されている。このように、記録紙毎の搬送負荷Ｆを一定にすることで、記録紙シート２８の露光搬送ローラ３２，３３に対する圧接力（記録紙シート２８と露光搬送ローラ３２，３３との間の摩擦力）を一定とすることができ、記録紙シート２８を精度良く搬送することができる。
【００２９】
本実施形態のプリンタプロセサ１０には、各種タイプの記録紙が使用される。複数の記録紙を接合してできたスプライス部分を有する記録紙の場合、ペーパーカッタ１４によって分断されたスプライス部分が、ガイド板３１と露光搬送ローラ３２，３３との間に挟まり、搬送ジャムが発生する恐れがある。そこで、本実施形態では、ペーパーカッタ１４の搬送路の下流側にスプライス部分に形成されたスプライスホールを検出するセンサ５０を、センサ５０の設置位置からさらに下流側には、利用可能なシート部分から分断されたスプライス部分を集荷する集荷部５１を設けている（図１参照）。センサ５０は、周知の反射型フォトインタラプタであり、スプライスホールを検出するとこの検出信号をシステムコントローラ４７に送る。システムコントローラ４７は、センサ５０からの検出信号を受けると集荷処理を実行する。この集荷処理では、シート部分とスプライス部分とを振り分け、スプライス部分のみを搬送路から取り除くように集荷ボックス５２に集める。集荷ボックス５２に集められたスプライス部分は、後にプリンタプロセサ１０の外部に排出される。
【００３０】
また、透明支持体感材の場合、ガイド板３１の露光位置を通過する透明支持体感材に対して露光を行うと、透明支持体感材を透過したレーザ光１６ａが、ガイド板３１で反射して透明支持体感材に再び照射されることで、フレアが発生する恐れがある。そこで、本実施形態では、ガイド板３１にスリット５３を設け、透明支持体感材を透過したレーザ光１６ａをこのスリット５３から逃がすようにしている。また、透明支持体感材に適応するガイド板３１から、スリット無しのガイド板に交換可能とする。
【００３１】
本実施形態の露光搬送装置３０の作用について説明する。ユーザは、ペーパー装填部１３にペーパーマガジン２４を装填するとともに、記録紙タイプ入力部４９から、このペーパーマガジン２４にセット済みの感光記録紙２５のタイプを入力する。
【００３２】
システムコントローラ４７は、記録紙タイプ入力部４９からの記録紙タイプに基づいて間隔情報ＬＵＴ４８を参照し、規定間隔距離を取得する。この後、この規定間隔距離に対応する駆動パルスを発生させ、間隔切り替えモータ４４を駆動する。間隔切り替えモータ４４の駆動によってピニオン部材４５が回転すると、固定部材４３が矢印Ｂ１あるいは矢印Ｂ２の方向に移動する。露光搬送ローラ３２，３３は、この固定部材４３の移動に伴って変位し、感光記録紙２５に適切な間隔Ｇ１を形成する。
【００３３】
ペーパーマガジン２４から引き出された感光記録紙２５は、ペーパーカッタ１４によってカットシート状の記録紙シート２８とされる。カットシート状とされた記録紙シート２８は、裏印字装置１５に向けて搬送される。この搬送中、センサ５０によるスプライスホールの検出がなされる。スプライスホールが検出されると、集荷部５１による集荷処理が実行され、利用可能なシート部分から分断されたスプライス部分が搬送路から取り除かれる。
【００３４】
裏印字装置１５によってコマ番号の印字がなされた記録紙シート２８は、露光搬送装置３０に向けて搬送される。露光搬送装置３０に達した記録紙シート２８は、スロープ３１ｂの端部から進入して、ガイド板３１と露光搬送ローラ３２との間隔Ｇ１に入り込む。この時、記録紙シート２８がスロープ３１ｂに沿って撓み、この撓みにより記録紙シート２８に弾力が発生する。この弾力により記録紙シート２８と露光搬送ローラ３２との間に所定の摩擦力が生じる。露光搬送モータ３７の駆動力により露光搬送ローラ３２が回転すると、この摩擦力を介して記録紙シート２８に確実に搬送力が伝達され、記録紙シート２８はスロープ３１ｃに向けて搬送される。
【００３５】
露光搬送装置３０から記録紙シート２８を排出する際にも、上記と同様にして、記録紙シート２８の撓みによる弾力によって、記録紙シート２８と露光搬送ローラ３３との間で所定の摩擦力が生じ、記録紙シート２８は確実に搬送される。
【００３６】
この露光搬送装置３０による搬送中、露光装置１６から、画像データに基づくレーザー光１６ａが照射され、記録紙シート２８に画像が露光される。露光済みの記録紙シート２８は、振り分け部１７に送られ、複数列に振り分けられた後、搬出部１８からプロセサ部１２へ搬入される。
【００３７】
上記実施形態では、ガイド板３１のスロープ３１ｂ，３１ｃを曲面にしたが、傾斜面であっても良い。
【００３８】
上記実施形態では、記録紙シート２８をガイド板３１により支持する構成としたが、ガイド板３１と露光搬送ローラ３２，３３との位置関係を上下逆にしても良い。なお、この場合、記録紙シート２８をガイド板に沿わせるための補助ローラを適宜設けても良い。
【００３９】
上記実施形態では、スロープ３１ｂ及び露光搬送ローラ３２、スロープ３１ｃ及び露光搬送ローラ３３の２組の搬送力伝達機構を設け、記録紙シート２８を搬送したが、１組の搬送力伝達機構だけを設けても良い。
【００４０】
上記実施形態では、露光搬送ローラ３２，３３を移動自在とし、間隔Ｇ１を多段階で切り替えたが、間隔Ｇ１を予め設定された複数の段階で切り替えても良い。この場合、例えば、継ぎ手４２の上面４２ａをシフト機構本体４６の底面４６ａに当接させる第１切り替え位置と、継ぎ手４２の底面４２ｂをガイド板３１の上面３１ｆに当接させる第２切り替え位置との２位置に露光搬送ローラ３２，３３を移動し、間隔Ｇ１を２段階で切り替えても良い（図４参照）。
【００４１】
上記実施形態では、図４に示すように、露光搬送ローラ３２，３３を記録紙シート２８の搬送路に対して垂直方向（矢印Ｂ１，Ｂ２方向）に移動することで間隔Ｇ１を形成したが、露光搬送ローラ３２，３３の代わりに、ガイド板３１を移動しても良いし、露光搬送ローラ３２，３３及びガイド板３１の両方を移動しても良い。また、図６に示すように、露光搬送ローラ３２，３３をスロープ３１ｂ，３１ｃから離れる方向（矢印Ｃ１，Ｃ２方向）に移動しても良い。
【００４２】
上記実施形態では、記録紙タイプを入力することで、間隔情報ＬＵＴ４８から間隔情報を取得したが、搬送される記録紙から直接にその記録紙タイプを検知し、間隔情報を取得しても良い。
【００４３】
上記実施形態では、記録紙タイプに応じて間隔Ｇ１を設定したが、間隔Ｇ１の設定方法はこれに限定されない。例えば、搬送される記録紙の厚さに応じて間隔Ｇ１を設定しても良い。この場合、超音波センサなどの厚さ検出手段を用いて、記録紙の厚さＴ１を検出する。記録紙の厚さに基づいて設定される間隔Ｇ１は、この検出厚さＴ１に、予め定められた規定値αを加算した間隔（Ｔ１＋α）とする。
【００４４】
上記実施形態では、減速機構としてトラクションドライブユニット３８を使用したが、タイミングベルトであっても良い。図５に示すように、タイミングベルト６０は、露光搬送モータ３７の出力軸３７ａと、プーリー６１とに架けられている。露光搬送モータ３７が駆動してタイミングベルト６０が回動すると、露光搬送ローラ３３の回転軸３３ａに接続されたプーリー６１を介して、露光搬送モータ３７の駆動力が露光搬送ローラ３３に伝達される。
【００４５】
上記実施形態では、露光装置１６に係る搬送手段を例にとり説明してきたが、それ以外の精密搬送を要する装置・ユニットにおいて本発明を実施しても良い。
【図面の簡単な説明】
【００４６】
【図１】プリンタプロセサの構成を示す概略図である。
【図２】搬送力伝達手段の構成を示す斜視図である。
【図３】トラクションドライブユニットの構成を示す斜視図である。
【図４】露光搬送装置の構成を示す側面図である。
【図５】減速機構としてタイミングベルトを用いる例を示す斜視図である。
【図６】露光搬送ローラの移動方向の例を示す説明図である。
【符号の説明】
【００４７】
１０  プリンタプロセサ
２８  記録紙シート
３０  露光搬送装置
３１  ガイド板
３１ａ  上面
３１ｂ，３１ｃ  スロープ
３２，３３  第１及び第２の露光搬送ローラ
３７  露光搬送モータ
３４  シフト機構
【図１】
2005231871.tif 000003
【図２】
2005231871.tif 000004
【図３】
2005231871.tif 000005
【図４】
2005231871.tif 000006
【図５】
2005231871.tif 000007
【図６】
2005231871.tif 000008